(57)【要約】  本発明の一実施形態に係る疾患予測システムは、疾患の診断に使用される対象者の第１情報および前記対象者のホルモン様作用物質に関する第２情報を有した入力情報が入力される入力部と、前記入力部に入力された前記入力情報から前記対象者の将来の前記疾患の発症を予測する制御部と、を備える。
2020138085.tif 000002
【特許請求の範囲】
【請求項１】
疾患の診断に使用される対象者の第１情報および前記対象者のホルモン様作用物質に関する第２情報を有した入力情報が入力される入力部と、
前記入力部に入力された前記入力情報から前記対象者の将来の前記疾患の発症を予測する制御部と、を備える、疾患予測システム。
【請求項２】
請求項１に記載の疾患予測システムであって、
前記制御部が予測した予測結果を出力する出力部をさらに備える、疾患予測システム。
【請求項３】
請求項１または２のいずれかに記載の疾患予測システムであって、
前記疾患のうち２種類以上を同時に予測する、疾患予測システム。
【請求項４】
請求項１〜３のいずれかに記載の疾患予測システムであって、
前記第２情報は、対象者の血中または尿中のホルモン様作用物質の測定値を含む、疾患予測システム。
【請求項５】
請求項１〜４のいずれかに記載の疾患予測システムであって、
前記予測は経年的に予測される、疾患予測システム。
【請求項６】
請求項１〜５のいずれかに記載の疾患予測システムであって、
前記入力情報は、前記被検者の健康状態に関する第３情報を含む、疾患予測システム。
【請求項７】
請求項１〜６のいずれかに記載の疾患予測システムあって、
前記入力情報は、前記被検者への介入に関する第４情報を含む、疾患予測システム。
【請求項８】
請求項１〜７のいずれかに記載の疾患予測システムであって、
前記制御部は、前記第４情報を除く入力情報に基づく第１結果と、前記第４情報を含む入力情報に基づく第２結果と、を予測する、疾患予測システム。
【請求項９】
制御部、入力部および出力部を備えている疾患予測システムにより実行されるプログラムであって、
前記プログラムは、前記制御部に、
前記入力部を介して、疾患の診断に使用される対象者の第１情報および前記対象者のホルモン様作用物質に関する第２情報を有した入力情報を取得する取得ステップと、
前記入力情報から前記対象者の将来の前記疾患の発症を予測する予測ステップと、
前記制御部が予測した予測結果を出力する出力ステップと、を実行させるプログラム。
【発明の詳細な説明】
【技術分野】
【０００１】
本開示は、疾患予測システムに関する。
【背景技術】
【０００２】
特許文献１には、疾患の１つである骨粗しょう症の診断支援装置が記載されている。
【先行技術文献】
【特許文献】
【０００３】
【特許文献１】特開２００８−３６０６８号公報
【発明の概要】
【０００４】
将来の疾患のリスクなどを把握するために、これらの疾患の将来の発症の予測をすることが求められている。
【０００５】
本発明の一実施形態に係る疾患予測システムは、疾患の診断に使用される対象者の第１情報および前記対象者のホルモン様作用物質に関する第２情報を有した入力情報が入力される入力部と、前記入力部に入力された前記入力情報から前記対象者の将来の前記疾患の発症を予測する制御部と、を備える。
【図面の簡単な説明】
【０００６】
【図１】本開示の疾患予測システム１の構成を模式的に示す概念図である。
【図２】本開示の疾患予測システム１の一部の構成を模式的に示す概念図である。
【図３】本開示の疾患予測システム１の一部の構成を模式的に示す概念図である。
【図４】本開示の疾患予測システム１の一部の構成を模式的に示す概念図である。
【図５】本開示の疾患予測システム１の一部の構成を模式的に示す概念図である。
【発明を実施するための形態】
【０００７】
本開示の疾患予測システム１は、例えば、中高齢者の疾患の発症を予測することができる。中高齢者の疾患とは、例えば、骨粗しょう症、変形性関節症、脊椎症、骨折、サルコペニア、フレイル、更年期障害、ＥＤ（Erectile Dysfunction）、歯周病などである。
【０００８】
なお、以下において、特に記載のない場合には、疾患として骨粗しょう症を例に説明する。
【０００９】
図１に、本開示の疾患予測システム１の構成の概念を示す。
【００１０】
本開示の疾患予測システム１は、端末装置２と、予測装置３と、を有している。端末装置２は、疾患の診断に使用される対象者のデータを取得するものである。予測装置３は、端末装置２で取得されたデータに基づき、将来の疾患の発症を予測することができる。
【００１１】
端末装置２は、上記の通り、データを取得することができる。端末装置２で取得されたデータは、入力情報Ｉとして、予測装置３に入力される。なお、入力情報Ｉは、疾患の診断に使用される対象者のデータ（第１情報Ｉ１）の他に、対象者のホルモン様作用物質に関する情報（第２情報Ｉ２）を有している。そして、端末装置２は、第１情報Ｉ１を取得する第１端末装置２１と、第２情報を取得する第２端末装置２２とを、有している。
【００１２】
第１端末装置２１は、例えば疾患予測システム１が骨粗しょう症の診断に使用される場合、例えば単純Ｘ線撮影装置または骨量測定装置などであればよい。また、この場合、第１情報Ｉ１は、例えば単純Ｘ線画像などの医用画像を有している場合がある。
【００１３】
第２端末装置２２は、第１端末装置２１が取得する第１情報Ｉ１に関連する疾患に影響を与える第２情報Ｉ２を取得することができる。第２情報Ｉ２は、例えば、ホルモン様作用物質の有無、または濃度の情報であればよい。第２情報Ｉ２は、例えば対象者の血中または尿中のホルモン様作用物質の測定値であればよい。具体的には、第２情報Ｉ２は、第１情報Ｉ１が骨粗しょう症に関連する場合、非ステロイド性エストロゲンの有無を示すデータなどであればよい。なお、第２端末装置２２は、例えば、ＳＡＷ（Surface Acoustic Wave）センサを用いた検査装置などであればよい。
【００１４】
端末装置２は、入力情報Ｉを取得した後に、予測装置３に入力情報Ｉを転送してもよい。例えば、対象者の単純Ｘ線画像を取得する場合、端末装置２（第１端末装置２１）は、例えばレントゲン室に設置されて、対象者のレントゲン写真を撮影する。そして、端末装置２から予測装置３に画像データを転送し、予測装置３を介して、疾患の将来の発症を予測することができる。
【００１５】
なお、端末装置２は、入力情報Ｉを予測装置３に直接転送しなくてもよい。この場合、例えば端末装置２で取得された入力情報Ｉが、記憶媒体に記憶されて、記憶媒体を介して、予測装置３に入力情報Ｉが入力されてもよい。
【００１６】
第２端末装置２２は、第２入力情報Ｉ２を取得した後に、予測装置３に第２入力情報Ｉ２を転送してもよい。例えば、ＳＡＷセンサを用いた検査装置が、対象者の血中または尿中のホルモン様作用物質の濃度の情報を転送する場合、濃度の数値としての情報を転送してもよいし、濃度に換算する前の一次データの情報を転送してもよい。一次データは、例えば、センサによる検出信号の位相変化、振幅変化、周波数変化などに関する情報であればよい。
【００１７】
図２に、本実施形態に係る予測装置３の構成の概念を示す。
【００１８】
予測装置３は、予測装置３に入力される入力情報Ｉから、対象者の疾患の将来の発症を予測することができる。例えば、疾患予測システム１が骨粗しょう症を予想する場合、予測装置３では、端末装置２で取得した医用画像を含む入力情報Ｉから、対象者の将来の骨粗しょう症の発症を予測して、予測した予測結果Ｏを出力することができる。
【００１９】
予測装置３は、入力部３１と、制御部３４、出力部３３、記憶部３５と、を有している。入力部３１、出力部３３、制御部３４および記憶部３５とは、例えば、バス６０で互いに電気的に接続している。入力部３１は、端末装置２から入力情報Ｉが入力されるものである。制御部３４は、制御プログラムを実行することによって、後述する予測部３２に基づき、入力情報Ｉに基づいて、疾患の発症を予測することができる。出力部３３は、予測部３２の予測した予測結果Ｏを出力することができる。記憶部３５は、制御プログラムおよび、制御に必要な種々のデータ、パラメータ等が記憶されている。
【００２０】
本開示の予測装置３は、複数の電子部品および回路を有している。言い換えれば、予測装置３は、複数の電子部品および回路によって、予測装置３を構成する各構成部材を形成することができる。複数の電子部品は、例えば、トランジスタまたはダイオードなどの能動素子、あるいはコンデンサなどの受動素子であればよく、従来周知の方法によって、形成されていればよい。
【００２１】
入力部３１は、上記の通り、入力情報Ｉが入力される。入力部３１は、端末装置２で取得した入力情報Ｉが端末装置２から直接入力されるように、通信部を有していてもよい。また、入力部３１は、入力情報Ｉまたは他の情報を入力可能な入力装置を備えていてもよい。入力装置は、例えば、キーボード、タッチパネル、またはマウスなどであればよい。
【００２２】
制御部３４は、予測装置３の他の構成要素を制御することによって、予測装置３の動作を統括的に管理することが可能である。制御部３４は制御装置あるいは制御回路とも言える。制御部３４は、以下にさらに詳細に述べられるように、種々の機能を実行するための制御及び処理能力を提供するために、少なくとも１つのプロセッサを含む。
【００２３】
１つの実施形態において、プロセッサは、例えば、関連するメモリに記憶された指示を実行することによって１以上のデータ計算手続又は処理を実行するように構成された１以上の回路又はユニットを含む。他の実施形態において、プロセッサは、１以上のデータ計算手続き又は処理を実行するように構成されたファームウェア（例えば、ディスクリートロジックコンポーネント）であってもよい。
【００２４】
種々の実施形態によれば、プロセッサは、１以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、またはこれらのデバイス若しくは構成の任意の組み合わせ、または他の既知のデバイス及び構成の組み合わせを含み、以下に説明される機能を実行してもよい。本例では、制御部３４は、例えばＣＰＵ（Central Processing Unit）を備えている。
【００２５】
記憶部３５は、ＲＯＭ（Read Only Memory）及びＲＡＭ（Random Access Memory）などの、制御部３４のＣＰＵが読み取り可能な非一時的な記録媒体を含む。記憶部３５には、予測装置３を制御するための制御プログラムが記憶されている。制御部３４の各種機能は、制御部３４のＣＰＵが記憶部３５内の制御プログラムを実行することによって実現される。制御プログラムは、コンピュータ装置１を予測装置３として機能させるための予測プログラムであるとも言える。
【００２６】
本例では、制御部３４が記憶部３５内の制御プログラムを実行することによって、制御部３４には、予測結果Ｏを推定可能な予測部３２が形成される。予測部３２は、例えば、ニューラルネットワークを備える。制御プログラムは、コンピュータ装置１をニューラルネットワーク（予測部３２）として機能させるためのプログラムであるとも言える。ニューラルネットワークの構成例については後で詳細に説明する。
【００２７】
記憶部３５には、制御プログラム以外にも、ニューラルネットワークに関する学習済みパラメータ、推定用データ（以下、「入力情報」ともいう）、学習用データ及び教師用データが記憶されている。学習用データ及び教師用データは、ニューラルネットワークを学習させる際に使用されるデータである。学習済みパラメータ及び推定用データは、学習済みのニューラルネットワークが疾患の発症を推定する場合に使用するデータである。
【００２８】
予測部３２は、入力部３１に入力された入力情報Ｉから対象者の将来の疾患の発症を予測することができる。予測部３２は、ＡＩ（Artificial Intelligence）を有している。本開示のＡＩは、例えば、ニューラルネットワークであればよい。
【００２９】
また、予測部３２は、予め学習処理されている。すなわち、学習用データおよび教師用データを用いて、予測部３２に機械学習を適用することによって、予測部３２は、入力情報Ｉから予測結果Ｏを算出することができる。なお、学習用データまたは教師用データは、予測装置３に入力する入力情報Ｉと、予測装置３から出力する予測結果Ｏに対応したデータであればよい。
【００３０】
図３、４は、本開示の予測部３２の構成の概念を示す。
【００３１】
予測部３２は、第１ニューラルネットワーク３２１と、第２ニューラルネットワーク３２２を有している。第１ニューラルネットワーク３２１は、時系列情報を扱うことに適したニューラルネットワークであればよい。例えば、第１ニューラルネットワーク３２１は、ＣＮＮ（Convolutional Neural Network）およびＬＳＴＭ（Long short-term memory）を組み合わせたＣｏｎｖＬＳＴＭネットワークなどであればよい。第２ニューラルネットワーク３２２は、例えば、ＣＮＮで構成された畳み込みネットワークなどであればよい。
【００３２】
図３は、本開示の第１ニューラルネットワーク３２１の構成の概念を示す。図４は、第２ニューラルネットワーク３２２の構成の概念を示す。
【００３３】
第１ニューラルネットワーク３２１は、エンコード部Ｅと、デコード部Ｄとを有している。エンコード部Ｅは、入力情報Ｉの時間変化および位置情報の特徴量を抽出することができる。デコード部Ｄは、エンコード部Ｅで抽出した特徴量、入力情報Ｉの時間変化および初期値に基づいて、新たな特徴量を算出することができる。
【００３４】
エンコード部Ｅは、複数のＣｏｎｖＬＳＴＭ層（Convolutional Long short-term memory）Ｅ１を有している。デコード部Ｄは、複数のＣｏｎｖＬＳＴＭ層（Convolutional Long short-term memory）Ｄ１を有している。なお、複数のＣｏｎｖＬＳＴＭ層Ｅ１は、それぞれ学習する内容が異なっていてもよい。複数のＣｏｎｖＬＳＴＭ層Ｄ１は、それぞれ学習する内容が異なっていてもよい。例えば、あるＣｏｎｖＬＴＳＭ層では１画素１画素の変化といった細かな内容を、別のＣｏｎｖＬＳＴＭ層では全体像の変化といった大まかな内容を学習してもよい。
【００３５】
第２ニューラルネットワーク３２２は、変換部Ｃを有している。変換部Ｃは、デコード部Ｄで算出された特徴量を骨量に変換することができる。変換部Ｃは、複数の畳み込み層Ｃ１と、複数のプーリング層Ｃ２と、全結合層Ｃ３と、を有している。全結合層Ｃ３は、出力部３３の前段に位置しており、複数の畳み込み層Ｃ１と複数のプーリング層Ｃ２とが交互に配置されている。
【００３６】
なお、予測部３２の学習時、学習用データは、予測部３２のエンコード部Ｅに入力され、教師用データは、予測部３２の変換部Ｃから出力される出力データと比較される。
【００３７】
出力部３３は、予測結果Ｏを表示することができる。出力部３３は、例えば、液晶表示ディスプレイあるいは有機ＥＬディスプレイである。出力部３３は、文字、記号、図形などの各種情報を表示することが可能である。出力部３３は、例えば、数字または画像などを表示することができる。
【００３８】
＜入力情報、学習用データおよび教師用データの一例＞
入力情報Ｉは、前記疾患の診断に使用される対象者の第１情報Ｉ１を有している。第１情報Ｉ１は、例えば対象者の検査結果や医用画像であればよい。具体的には、例えば疾患予測システム１が骨粗しょう症を予測する場合には、対象者の骨量、骨代謝マーカー、胸部、腰部もしくは大腿骨近位部のレントゲン画像、ＣＴ像などであればよい。
【００３９】
なお、骨粗しょう症の場合、第１情報Ｉ１は、具体的には、対象者の骨が写る単純Ｘ線像の画像データを有している。また、撮影する骨は、主に、生物由来の皮質骨および海綿骨であるが、対象とする骨に、リン酸カルシウムを主成分とする人工骨、あるいは再生医療等によって人工的に製造された再生骨が含まれてもよい。
【００４０】
また、入力情報Ｉは、第１情報Ｉ１に関連する疾患に影響を与える、ホルモン様作用物質に関する第２情報を有していてもよい。第２情報Ｉ２は、例えば、ホルモン様作用物質の有無、または濃度の情報であればよい。第２情報Ｉ２は、例えば、第１情報Ｉ１が骨粗しょう症に関連するデータである場合は、骨粗しょう症に影響を与えるホルモン様作用物質に関する情報であればよい。具体的には、線維芽細胞増殖因子２３（FGF23）、レプチン、インスリン、スクレロスチンなどの少なくとも１種類の濃度情報などであればよい。さらに、対象者が女性であれば、エストロン、エストラジオール、エストリオールなどのステロイド性エストロゲン、非ステロイド性エストロゲン、プロゲステロン、あるいはエストロゲン受容体などの少なくとも１種類の濃度情報などであればよい。対象者が男性であれば、テストステロン、ジヒドロテストステロンなどのアンドロゲン、あるいはアンドロゲン受容体などの少なくとも１種類の濃度情報などであればよい。
【００４１】
第２情報Ｉ２は、例えば、第１情報Ｉ１がサルコペニアに関連するデータである場合は、サルコペニアに影響を与えるホルモン様作用物質に関する情報であればよい。具体的には、グレリン、レプチン、アディポネクチンなどの少なくとも１種類の濃度情報などであればよい。加えて、対象者が女性であれば、エストロン、エストラジオール、エストリオールなどのステロイド性エストロゲン、非ステロイド性エストロゲン、プロゲステロン、あるいはエストロゲン受容体などの少なくとも１種類の濃度情報などであればよい。対象者が男性であれば、テストステロン、ジヒドロテストステロンなどのアンドロゲン、あるいはアンドロゲン受容体などの少なくとも１種類の濃度情報などであればよい。
【００４２】
なお、疾患予測システム１が変形性関節症、脊椎症を予測する場合は、第１情報Ｉ１は、患部のレントゲン画像であればよい。また、骨折を予測する場合は、第１情報Ｉ１は、骨量、骨代謝マーカー、骨折歴、レントゲン画像であればよい。また、サルコペニアを予測する場合は、第１情報Ｉ１は、下腿のレントゲン画像、筋肉量、握力、歩行速度であればよい。また、フレイルを予測する場合は、第１情報Ｉ１は、握力、歩行速度、活動量、口腔機能、倦怠感、社会性に関する情報であればよい。また、更年期障害を予測する場合は、第１情報Ｉ１は、顔のほてり、汗のかきやすさ、顔や手足の冷え、息切れ・動悸、寝付き・眠りの深さ、イライラ度合、憂うつ度合、頭痛・めまい・吐き気、疲れやすさ、肩こり・腰痛・手足の痛みの有無であればよい。また、ＥＤを予測する場合は、第１情報Ｉ１は、性交の成功度や満足度に関する情報であればよい。また、歯周病を予測する場合は、第１情報Ｉ１は、レントゲン画像、ＣＴ像、歯周ポケット深さ、アタッチメントレベル、口腔衛生状態などの情報であればよい。
【００４３】
学習用データは、第１入力情報Ｉ１と同種の第１学習用情報を有している。例えば、第１入力情報Ｉ１が単純Ｘ線像であれば、学習用データも単純Ｘ線像を有していればよい。さらには、第１入力情報Ｉ１が骨量の場合、学習用データも骨量を有していればよい。
【００４４】
学習用データは、時間変化を考慮されている。すなわち、学習用データは、同一人を検査した時間軸の異なる一連のデータであってもよい。また、学習用データは、他人のデータ群であってもよい。また、学習用データが画像データである場合、画像データは、同一人、同一部位を撮影した時間軸の異なる一連のデータであってもよい。その結果、学習処理が行われた予測部３２は、将来の疾患の発症を予測することができる。
【００４５】
また、学習用データは、第２入力情報Ｉ２と同種の第２学習用情報を有している。すなわち、学習用データは、対象者のホルモン様作用物質に関する情報である。また、第２学習用情報は、第１学習用情報の取得時または取得前後の所定期間の情報であってもよい。例えば、対象者が女性であれば、第２入力情報Ｉ２は、エストロン、エストラジオール、エストリオールなどのステロイド性エストロゲン、非ステロイド性エストロゲン、プロゲステロン、あるいはエストロゲン受容体などの少なくとも１種類の濃度情報であればよい。
【００４６】
なお、学習用データは、入力情報Ｉと同様に、端末装置２を使用して取得してもよい。第１学習用情報であれば、例えば、単純Ｘ線撮影装置などの第１端末装置２１を使用して取得すればよい。また、第２学習用情報であれば、例えば、ＳＡＷ（Surface Acoustic Wave）センサなどの第２端末装置２２を使用して取得すればよい。学習用データは、例えば非ステロイド性エストロゲンの濃度であれば、上述のように、第２端末装置２２を使用して取得することができる。
【００４７】
教師用データは、学習用データに対応した、疾患の診断結果を含む。例えば骨粗しょう症を予測する場合には、教師用データは、複数の学習用画像データのそれぞれに対応した、骨量の実測値または骨粗しょう症の診断結果である。骨量の実測値または骨粗しょう症の診断結果は、学習用画像データが撮影された時期とほぼ同じ時期に評価されていればよい。
【００４８】
教師用データは、例えば骨量の場合には、例えば、ＤＥＸＡ（Dual-Energy X-ray Absorptiometry）法または超音波法などによって測定されていればよい。
【００４９】
＜ニューラルネットワークの学習例＞
予測部３２は、入力情報Ｉから予測結果Ｏを算出可能なように、学習用データと教師用データを用いた機械学習によって最適化される。すなわち、制御部３４は、機械学習によって最適化された近似式（予測部３２）に基づいて入力情報Ｉから予測結果Ｏを算出するが、入力部３１に入力された学習用データから演算されて出力部３３から出力された疑似予測結果と教師用データとの差が小さくなるように、予測部３２内のパラメータを調整することによって、機械学習される。その結果、予測部３２は、入力情報Ｉに対して学習済みパラメータに基づく演算を行なって予測結果Ｏを出力することができる。
【００５０】
パラメータの調整方法としては、例えば、誤差逆伝播法が採用される。パラメータには、例えば、エンコード部Ｅ、デコード部Ｄ、変換部Ｃで使用されるパラメータが含まれる。具体的には、パラメータには、エンコード部Ｅとデコード部ＤのＣｏｎｖＬＳＴＭ層と、変換部Ｃの畳み込み層および全結合層で使用される重み付け係数とが含まれる。
【００５１】
以上のように、疾患予測システム１では、入力情報Ｉから予測結果Ｏを出力することによって、疾患の発症を予測することができる。
【００５２】
ここで、例えば、従来の骨粗しょう症診断支援装置は、皮質骨に関する特徴量を用いて骨粗しょう症を判定することが開示されている。しかしながら、従来の骨粗しょう症診断支援装置は、現状での骨粗しょう症を診断するものであって、将来の発症の可能性を示すものではなかった。
【００５３】
これに対して、本発明に係る疾患予測システム１は、入力情報Ｉから前記対象者の将来の疾患の発症を予測することができる。したがって、データ取得時の入力情報Ｉから、データ取得後にどのようにその疾患が推移するのか、予測することができる。そして、本発明に係る疾患予測システム１では、入力情報Ｉとしてホルモン様作用物質に関する情報（第２情報）も有している。例えば、ホルモン様作用物質の有無などによって疾患の推移の仕方は変わることから、第２情報を入力することによって、より将来予測の精度を向上させることができる。
【００５４】
疾患予測システム１の予測結果Ｏは、入力情報Ｉの取得日よりも未来の予測であればよい。例えば、疾患予測システム１は、入力情報Ｉの取得日からら３ヶ月後から５０年後、より好ましくは、６ヶ月後から１０年後までの予測を行なえばよい。
【００５５】
予測結果Ｏは、将来の数値として出力されてもよい。例えば、骨量を予測する場合、予測結果Ｏは、例えば、ＹＡＭ（Young Adult Mean）、ＴスコアおよびＺスコアの少なくとも１種類によって表される数値であればよい。
【００５６】
なお、変形性関節症または脊椎症を予測する場合は、予測結果Ｏは、ＫＬ（Kellgren-Lawrence）グレード分類などであってもよい。また、骨折、サルコペニア、フレイル、更年期障害、ＥＤ、歯周病を予測する場合は、予測結果Ｏは、発症の有無であってもよい。発症の有無は、予測結果によって出力された数値をもとに、予め定められた閾値によって判別してもよい。
【００５７】
予測結果Ｏは、疾患の将来の発症確率を出力してもよい。発症確率は、例えば、特定の期日の発症確率を出力してもよい。この場合、「１年後の疾患の確率が１０％」のように出力されればよい。また、発症する期日はいつか、などを出力してもよい。この場合、例えば、「７年後に骨粗しょう症を発症する可能性があります」のように出力されればよい。
【００５８】
予測結果Ｏは、経年変化を出力してもよい。例えば、１年後の発症確率、５年後の発症確率、１０年後の発症確率など、時間軸に対する予測結果Ｏの推移を出力してもよい。
【００５９】
疾患予測システム１は、１種類の第１情報Ｉ１から、複数の疾患の発症を予測する予測結果Ｏを出力してもよい。この場合、例えば、第１情報Ｉ１として尿中の非ステロイド性エストロゲンの濃度を入力することによって、骨粗しょう症と更年期障害という疾患の発症を同時に予測することができる。
【００６０】
また、疾患予測システム１は、１種類の第１情報Ｉ１と１種類の第２情報Ｉ２から、複数の疾患の発症を予測する予測結果Ｏを出力してもよい。この場合、例えば、１種類の第１情報Ｉ１としてレントゲン画像を入力し、１種類の第２情報Ｉ２として尿中の非ステロイド性エストロゲンの濃度を入力することによって、例えば、骨粗しょう症と変形性関節症という複数の疾患の発症を同時に予測することができる。
【００６１】
入力情報Ｉは、対象者の個体データを有する第３情報Ｉ３を有していてもよい。第３情報Ｉ３は、対象者の健康状態に関する情報であればよい。なお個体データは、例えば、年齢情報、性別情報、身長情報、体重情報、収縮期血圧、総コレステロール、中性脂肪、悪玉コレステロール（LDL-C、中性脂肪）、善玉コレステロール（HDL-コレステロール）、インスリン抵抗性指数（HOMA-R指数）、血糖値、閉経の有無、精子数などに関する情報のいずれか１種類または複数種類を含んでいればよい。
【００６２】
なお、この場合、学習用データとして、第３情報Ｉ３と同種の第３学習用情報を学習させてもよい。また、第３学習用情報は、第１学習用情報の取得時または、取得前後の所定期間の情報であってもよい。
【００６３】
また第３情報Ｉ３は、生活習慣情報を有していてもよい。生活習慣情報は、食事習慣、飲酒習慣、喫煙習慣、あるいは、歩行速度または歩数などの運動習慣などに関する情報のいずれか１種類または複数種類を含んでいればよい。
【００６４】
入力情報Ｉは、対象者への介入に関する第４情報Ｉ４を有していてもよい。第４情報Ｉ４は、対象者の生活習慣などの変更予定（未来）に関する情報であればよい。第４情報Ｉ４は、例えば、食生活の変更、生活習慣の変更、体重の変更、理学療法、薬物療法または服用予定のサプリメントに関する情報のいずれか１種類または複数種類を含んでいればよい。
【００６５】
なお、この場合、学習用データとして、第４情報Ｉ４と同種の第４学習用情報を学習させてもよい。また、第４学習用情報は、第１学習用情報の取得時または、取得前後の所定期間の情報であってもよい。
【００６６】
また第４情報Ｉ４として、服用予定のサプリメントに関する情報を入力する場合、サプリメントに関する情報として、カルシウム、ビタミンＤ、ビタミンＫ、分岐鎖アミノ酸、フラボノイドまたはプロバイオティクスの服用に関する情報のいずれか１種類または複数種類を含んでいればよい。プロバイオティクスは、例えば、枯草菌Ｃ−３１０２株などであればよい。
【００６７】
疾患予測システム１において、予測結果Ｏは、第４情報Ｉ４を除く入力情報Ｉから選択される入力情報Ｉに基づく第１結果と、第４情報Ｉ４および少なくとも第１入力情報Ｉ１を含む入力情報Ｉに基づく第２結果とを出力してもよい。
【００６８】
疾患予測システム１において、将来の予測である予測結果Ｏはだけではなく、現状の診断結果を出力してもよい。その結果、経時の疾患の変化を比較することができる。
【００６９】
入力情報Ｉは、被検者の骨代謝マーカー情報を有した第５入力情報Ｉ５を有していてもよい。骨代謝情報とは、例えば、骨吸収能力または骨形成能力であればよい。これらは、例えば、骨吸収マーカーであるI型コラーゲン架橋Ｎ−テロペプチド（ＮＴＸ）、I型コラーゲン架橋Ｃ-テロペプチド（ＣＴＸ）、酒石酸抵抗性酸ホスファターゼ（ＴＲＡＣＰ−５ｂ）、デオキシピリジノリン（ＤＰＤ）、骨形成マーカーである骨型アルカリホスファターゼ（ＢＡＰ）、Ｉ型コラーゲン架橋Ｎ-プロペプチド（Ｐ１ＮＰ）、骨関連マトリックスマーカーである低カルボキシル化オステオカルシン（ｕｃＯＣ）の少なくとも１種によって、測定可能である。骨吸収マーカーは、血清または尿を検体として測定されてもよい。
【００７０】
なお、この場合、学習用データとして、第５情報Ｉ５と同種の第５学習用情報を学習させてもよい。また、第５学習用情報は、第１学習用情報の取得時または、取得前後の所定期間の情報であってもよい。
【００７１】
疾患予測システム１は、第５入力情報Ｉ５を取得する第３端末装置を有していてもよい。また、第２端末装置２２を使用して、第２入力情報Ｉ２とともに第５入力情報Ｉ５を同時に測定してもよい。例えば、対象者の１つの尿検体から、骨代謝マーカーのＤＰＤと、ホルモン様作用物質の非ステロイド性エストロゲンの濃度を同時に測定してもよい。また、第２端末装置２２は、第１入力情報Ｉ１の１つである骨代謝マーカーと第２入力情報Ｉ２のホルモン様作用物質のうち、複数を同時に測定してもよい。具体的には、対象者の１つの尿検体から、骨代謝マーカーのＤＰＤおよびＣＴＸと、ホルモン様作用物質のステロイド性エストロゲンおよび非ステロイド性エストロゲンの濃度を同時に測定してもよい。
【００７２】
＜その他の実施形態＞
図５は、本開示の線形回帰モデルを用いた予測部３２ａの構成の概念を示す。
【００７３】
予測部３２は、上記の実施形態では、予測部３２としてニューラルネットワークを使用する例を説明したが、予測部３２は、入力情報を説明変数とし、予測用パラメータを説明変数の係数とし、予測結果を目標変数とする線形回帰モデルであってもよい。予測用パラメータは、学習用データおよび教師用データを用いて、最小二乗法により最適化されていてもよい。すなわち、学習用データを説明変数ベクトル、教師用データを目標変数ベクトルとして、誤差の二乗和が最小となるような説明変数係数ベクトルを決定してもよい。
【００７４】
線形回帰モデルを用いた予測部３２ａは、入力情報を説明変数Ｘ1、Ｘ２・・・Ｘｋに入力することで、予測結果Ｙを算出する。予測用パラメータである説明変数の係数θ1、θ2・・・θkは、例えば、学習用データおよび教師用データを用いて、最小二乗法により予め最適化されていればよい。
【００７５】
線形回帰モデルを用いた予測部３２ａでは、例えば、骨粗しょう症、骨折、サルコペニア、フレイル、更年期障害、ＥＤ（Erectile Dysfunction）または歯周病などの疾患を、簡易に予測することができる。
【００７６】
なお、本発明は上述の実施形態の例に限定されるものではなく、その内容に矛盾をきたさない限り、種々の変形を含むものである。また、本発明に係る各実施形態は、適宜、組合せ可能である。
【００７７】
例えば、上記の例では、予測部３２としてニューラルネットワークを使用した場合、ＣｏｎｖＬＳＴＭネットワークを適用した例を説明したが、本発明はこれに限られない。例えば、予測部３２は、ＲＮＮ（Recurrent Neural Network）やＧＡＮ（Generative Adversarial Network）を用いてもよい。また、予測部３２は、複数のニューラルネットワークを組み合わせてもよい。具体的には、ＣｏｎｖＬＳＴＭネットワークと畳み込みニューラルネットワークを組わせた複合的なニューラルネットワークでもよい。
【００７８】
また、上記の例では、予測部３２として、ニューラルネットワークを有している例と、線形回帰モデルを有している例をそれぞれ記載したが、本発明では、疾患予測システム１の予測装置３は、異なる予測部を複数有していてもよい。例えば、線形回帰モデルを用いた予測部３２ａとＣｏｎｖＬＳＴＭニューラルネットワークを用いた予測３２ｂを同時に有していてもよい。
【００７９】
この場合、疾患予測システム１において、予測部３２ａは、第１予測結果Ｏ１を出力するものである。さらに、予測部３２ｂは、第２予測結果Ｏ２として、第２の予測結果を出力するものである。その結果、予測結果Ｏとして、第１の予測結果と第２の予測結果を比較することができる。
【００８０】
疾患予測システム１は、予測結果Ｏとして、第１の予測結果および第２の予測結果に基づいた第３の予測結果を出力してもよい。その結果、例えば、第２の予測結果に基づいて第１の予測結果を修正した結果（第３の予測結果）を、予測結果Ｏとすることができる。
【符号の説明】
【００８１】
１  疾患予測システム
２  端末装置
２１  第１端末装置
２２  第２端末装置
３  予測装置
３１  入力部
３２  予測部
３２ａ  予測部
３２ｂ  予測部
３３  出力部
３４  制御部
３５  記憶部
Ｏ  予測結果
Ｉ  入力情報
【図１】
2020138085.tif 000003
【図２】
2020138085.tif 000004
【図３】
2020138085.tif 000005
【図４】
2020138085.tif 000006
【図５】
2020138085.tif 000007
【国際調査報告】
2020138085.tif 000008
2020138085.tif 000009
2020138085.tif 000010
2020138085.tif 000011